(57)【要約】      （修正有）【課題】太陽光発電パネルを架台フレームに簡単に能率よく且つ簡単な構造によって確実に固定できる太陽光発電パネル架台を提供する。【解決手段】中空状縦桟本体４と、縦桟本体４の長手方向に一体形成された金具係合摺動台５とからなり、金具係合摺動台５には、パネル取付金具６が縦桟本体４の長手方向に摺動可能に係合され、パネル取付金具６は、金具係合摺動台５の係合摺動面５ａを係合摺動するばね係合保持台７と、ばね係合保持台７の中央部に突設される中空状のスペーサー支柱８と、スペーサー支柱８の上端部にばね係合保持台７に平行に対向して一体形成されたパネル上面規制フランジ９とからなり、ばね係合保持台７に偏平下向きＵ字状に湾曲したパネル押圧ばね１０が係合保持され、太陽光発電パネルＰは、パネル押圧ばね１０の押圧力に押圧規制されて、パネル取付金具６のばね係合保持台７とパネル上面規制フランジ９との間で挟持固定されてなる。【選択図】図３
2018007342.tif 000002
【特許請求の範囲】
【請求項１】
前後方向に沿う複数本の上位側の縦桟と左右方向に沿う複数本の下位側の横桟とが格子状に連結されて上位側の縦桟が後方側から前方側に向かって低く傾斜して配設された架台フレームにおいて、複数枚の太陽光発電パネルが架台フレームに平面的に配列して取り付けられる太陽光発電パネル架台であって、
上位側の縦桟は、下位側の横桟に直交して連結される中空状縦桟本体と、該縦桟本体の上片部に、該縦桟本体の長手方向に一体形成された金具係合摺動台とからなり、
該金具係合摺動台には、パネル取付金具が縦桟本体の長手方向に摺動可能に係合され、
該パネル取付金具は、金具係合摺動台の係合摺動面を係合摺動するばね係合保持台と、ばね係合保持台の中央部に突設される中空状のスペーサー支柱と、該スペーサー支柱の上端部に前記ばね係合保持台に平行に対向して一体形成されたパネル上面規制フランジとからなり、
前記ばね係合保持台に偏平下向きＵ字状に湾曲したパネル押圧ばねが係合保持され、且つ前記パネル上面規制フランジと前記パネル押圧ばねとの対向間隔は太陽光発電パネルの上下面間の厚みより狭く形成され、
太陽光発電パネルは、前記パネル押圧ばねの押圧力に押圧規制されて、前記パネル取付金具のばね係合保持台とパネル上面規制フランジとの間で挟持固定され、該パネル取付金具を介して、太陽光発電パネルは縦桟に取り付けられてなる太陽光発電パネル架台。
【請求項２】
前記中空状縦桟本体は、縦長の補強中空部を有するように形成されてなる請求項１に記載の太陽光発電パネル架台。
【請求項３】
パネル取付金具のばね係合保持台に、前記中空状のスペーサー支柱を挟んでその両側に前記パネル押圧ばねが係合保持されてなる請求項１又は２に記載の太陽光発電パネル架台。
【請求項４】
前記ばね係合保持台に係合保持されるパネル押圧ばねは、太陽光発電パネルのばね係合保持台上への挿入方向に偏平下向きＵ字状に湾曲してなると共に、平面視において略矩形に形成されてなる請求項１〜３の何れかに記載の太陽光発電パネル架台。
【請求項５】
複数の太陽光発電パネルは前方側に向かって低く傾斜して互いに対向して配列される縦桟間にあって、太陽光発電パネルと縦桟の金具係合摺動台を係合摺動するパネル取付金具とが、縦桟の後方側から前方側に向かって交互に配置されて、太陽光発電パネルはパネル取付金具の前記ばね係合保持台とこれに対向するパネル上面規制フランジとの間に順次挿入され、その挿入端において、各太陽光発電パネルは、前記パネル押圧ばねの押圧力に押圧規制されてパネル取付金具に固定されてなる請求項１〜４の何れかに記載の太陽光発電パネル架台。
【請求項６】
複数の太陽光発電パネルは前方側に向かって低く傾斜して互いに対向して配列される縦桟間にあって、該太陽光発電パネルと縦桟の金具係合摺動台を係合摺動するパネル取付金具とが、縦桟の後方側から前方側に向かって交互に配置されて、太陽光発電パネルはパネル取付金具の前記ばね係合保持台とこれに対向するパネル上面規制フランジとの間に順次挿入され、その挿入端において、各太陽光発電パネルは、前記パネル押圧ばねの押圧力に押圧規制されてパネル取付金具に固定されると共に、各太陽光発電パネルはパネル取付金具の中空状のスペーサー支柱に当接して、該中空状のスペーサー支柱によって太陽光発電パネルの前後方向の位置決め規制がなされる請求項1 〜５の何れかに記載の太陽光発電パネル架台。
【請求項７】
後方側から前方側に向かって低く傾斜して互いに対向して配列される縦桟間にあって、縦桟の最前方端に位置するパネル取付金具は、縦桟の金具係合摺動台にビス止めされてなる請求項１〜６の何れかに記載の太陽光発電パネル架台。
【請求項８】
後方側から前方側に向かって低く傾斜して互いに対向して配列される縦桟間にあって、縦桟の最後方端に位置するパネル取付金具は、縦桟の金具係合摺動台にビス止めされてなる請求項１〜７の何れかに記載の太陽光発電パネル架台。
【発明の詳細な説明】
【技術分野】
【０００１】
本発明は、複数本の縦桟と横桟とが格子状に連結された架台フレーム上に、太陽光発電パネルが取り付けられてなる太陽光発電パネル架台に関する。
【背景技術】
【０００２】
近年、環境保護、省資源、ＣＯ2削減等の観点から、太陽電池を利用した太陽光発電システムが急速に普及しており、大きな発電量を得るために複数枚の太陽光発電パネル（太陽電池モジュール）を縦横に平面的に並べた太陽電池アレイが一般化し、更にはメガソーラーやギガソーラーとして多数基の太陽電池アレイを並設した大規模太陽光発電施設も増加しつつある。そして、太陽電池アレイは、一基が短辺数ｍ、長辺数ｍ〜数十ｍといった大型になるため、通常、複数本の縦桟と横桟とを交叉部で連結した格子状の架台フレームにて支承し、地上や陸屋根に設けたコンクリート製の土台や杭、建屋の屋根に設けた受け金具等のベースに対し、該架台フレームの下位側桟の要所において取付金具もしくは支柱と取付金具を介して支持させている。
【０００３】
このような太陽光発電パネル架台において、太陽光発電パネルを架台フレーム上に固定する手段として、従来より多種多様な方式が提案され、また採用されているが、いずれも固定強度、施工精度、作業性、施工コスト及び材料コスト、特に太陽光発電パネルを太陽光発電パネル架台に効率良く設置する面とで充分に満足できるものとは言えなかった。
【０００４】
本願発明に最も近似する従来技術として、本願出願人が提案した太陽光パネル架台は、特許文献１が存在する。
【０００５】
特許文献１に記載の太陽光発電パネル架台は、図８の（ａ）及び（ｂ）に示すとおりであるが、この従来の太陽光発電パネル架台は、前後方向に沿う複数本の縦桟１と左右方向に沿う複数本の横桟２とが格子状に連結されて前方側に低く傾斜した架台フレーム３上に、太陽光発電パネルＰの複数枚が平面的に配列して取り付けられてなり、架台フレーム３の縦桟１及び横桟２の内、上位縦桟１の上面に長手方向に連続する摺動ガイド溝２２を備え、この摺動ガイド溝２２にスライド金具２３が摺動自在で且つ上方離脱不能に嵌挿されると共に、該スライド金具２３に下方から貫通された止着用ボルトＢが上方へ突出し、該架台フレーム３の上位側桟１上に載せた太陽光発電パネルＰ，Ｐ同士が止着用ボルトＢを挟んで隣接配置すると共に、該止着用ボルトＢに嵌め込んだ押さえ金具２４が隣接配置した両太陽光発電パネルＰ，Ｐ上に橋架し、該押さえ金具２４上から止着用ボルトＢに螺合したナットＮの締め付けにより、両太陽光発電パネルＰ，Ｐが該押さえ金具２４と上位側桟１との間で挟着固定され、止着用ボルトＢにスペーサー金具２５が押さえ金具２４より下位に嵌装され、隣接配置する太陽光発電パネルＰ，Ｐの間で該スペーサー金具２５を挟み付けて位置決めするようにして、複数の太陽光発電パネルが太陽光発電パネル架台の架台フレーム３に後方側の高所から前方側の低所に向かって平面状に設置されるようにしていた。
【０００６】
このように複数の太陽光発電パネルは、図示の状態から分かるように、多数の止着用ボルトＢとこれに螺合される多数のナットＮとの面倒な締付操作によって、架台フレーム３に固定されるようにしていたため、作業能率が悪く、又、架台フレームの３の高所あるいは架台フレーム３の周縁から離れている中央部所のように作業の困難な場所においては一層作業能率が悪いという難点があった。又、太陽光発電パネルＰ，Ｐの間隔を規制するスペーサー金具２５も別部材として設けるため、それだけ部品点数が増加し、作業工数が増え施工コスト及び材料コストに影響を与えていた。
【先行技術文献】
【特許文献】
【０００７】
【特許文献１】特許第５９１２１００号公報
【発明の概要】
【発明が解決しようとする課題】
【０００８】
本発明は、上述の事情に鑑みて、太陽光発電パネル架台として、架台フレームに対して太陽光発電パネルを簡単に能率よく確実に固定でき、その固定強度に優れ、地震時の大きな揺れや強風時の大きな風圧を受けても、固定部分が外れたり歪んだりする懸念がなく、また施工コスト及び材料コストも少なくて済むものを提供することを目的としている。
【課題を解決するための手段】
【０００９】
上記課題を解決するための手段を図面の参照符号を付して示せば、請求項１の発明に係る太陽光発電パネル架台は、前後方向に沿う複数本の上位側の縦桟１と左右方向に沿う複数本の下位側の横桟２とが格子状に連結されて上位側の縦桟１が後方から前方に向かって低く傾斜して配設された架台フレーム３において、複数枚の太陽光発電パネルＰが架台フレーム３に平面的に配列して取り付けられる太陽光発電パネル架台であって、上位側の縦桟１は、下位側の横桟２に直交して連結される中空状縦桟本体４と、該縦桟本体４の上片部４ａに、該縦桟本体４の長手方向に一体形成された金具係合摺動台５とからなり、該金具係合摺動台５には、パネル取付金具６が縦桟本体４の長手方向に摺動可能に係合され、該パネル取付金具６は、金具係合摺動台５の係合摺動面５ａを係合摺動するばね係合保持台７と、ばね係合保持台７の中央部に突設される中空状のスペーサー支柱８と、該スペーサー支柱８の上端部に前記ばね係合保持台７に平行に対向して一体形成されたパネル上面規制フランジ９とからなり、前記ばね係合保持台７に偏平下向きＵ字状に湾曲したパネル押圧ばね１０が係合保持され、且つ前記パネル上面規制フランジ９と前記パネル押圧ばね１０との対向間隔は太陽光発電パネルＰの上下面間の厚みより狭く形成され、太陽光発電パネルＰは、前記パネル押圧ばね１０の押圧力に押圧規制されて、前記パネル取付金具６のばね係合保持台７とパネル上面規制フランジ９との間で挟持固定され、該パネル取付金具６を介して、太陽光発電パネルＰは縦桟１に取り付けられてなる構成からなるものである。
【００１０】
請求項２の発明に係る太陽光発電パネル架台は、前記中空状縦桟本体４は、縦長の補強中空部４ａを有するように形成されてなる請求項１に記載の構成からなるものである。
【００１１】
請求項３の発明に係る太陽光発電パネル架台は、前記ばね係合保持台７に、前記中空状のスペーサー支柱８を挟んでその両側に前記パネル押圧ばね１０が係合保持されてなる請求項１又は２に記載の構成からなるものである。
【００１２】
請求項４の発明に係る太陽光発電パネル架台は、前記ばね係合保持台７に係合保持されるパネル押圧ばね１０は、太陽光発電パネルＰのばね係合保持台７上への挿入方向に偏平下向きＵ字状に湾曲してなると共に、平面視において略矩形に形成されてなる請求項１〜３の何れかに記載の構成からなるものである。
【００１３】
請求項５の発明に係る太陽光発電パネル架台は、複数の太陽光発電パネルＰは前方側に向かって低く傾斜して互いに対向して配列される縦桟１，１間にあって、太陽光発電パネルＰと縦桟１の金具係合摺動台５を係合摺動するパネル取付金具６とが縦桟１の後方側から前方側に向かって交互に配置されて、太陽光発電パネルＰはパネル取付金具６の前記ばね係合保持台７とこれに対向するパネル上面規制フランジ９との間に順次挿入され、その挿入端において、各太陽光発電パネルＰは、前記パネル押圧ばね１０の押圧力に押圧規制されてパネル取付金具６に固定されてなる請求項１〜４の何れかに記載の構成からなるものである。
【００１４】
請求項６の発明に係る太陽光発電パネル架台は、複数の太陽光発電パネルＰは前方側に向かって低く傾斜して互いに対向して配列される縦桟１，１間にあって、太陽光発電パネルＰと縦桟の金具係合摺動台５を係合摺動するパネル取付金具６とが縦桟１の後方側から前方側に向かって交互に配置されて、太陽光発電パネルＰはパネル取付金具６の前記ばね係合保持台７とこれに対向するパネル上面規制フランジ９との間に順次挿入され、その挿入端において、各太陽光発電パネルＰは、前記パネル押圧ばね１０の押圧力に押圧規制されてパネル取付金具６に固定されると共に、各太陽光発電パネルＰはパネル取付金具６の中空状のスペーサー支柱８に当接して、該中空状のスペーサー支柱８によって太陽光発電パネルＰの前後方向の位置決め規制がなされる請求項1 〜５の何れかに記載の構成からなるものである。
【００１５】
請求項７の発明に係る太陽光発電パネル架台は、後方側から前方側に向かって低く傾斜して互いに対向して配列される縦桟１，１間にあって、縦桟１の最前方端に位置するパネル取付金具６は、縦桟１の金具係合摺動台５にビス１１止めされてなる請求項１〜６の何れかに記載の構成からなるものである。
【００１６】
請求項８の発明に係る太陽光発電パネル架台は、後方側から前方側に向かって低く傾斜して互いに対向して配列される縦桟１，１間にあって、縦桟１の最後方端に位置するパネル取付金具６は、縦桟１の金具係合摺動台５にビス１２止めされてなる請求項１〜７の何れかに記載の構成からなるものである。
【発明の効果】
【００１７】
次に、本発明の効果について図面の参照符号を付して説明する。まず、請求項１の発明に係る太陽光発電パネル架台によれば、上位側の縦桟１に、その長手方向に係合摺動可能にパネル取付金具６が設けられ、太陽光発電パネルＰは、該パネル取付金具６に形成されたばね係合保持台７とこれに対向するパネル上面規制フランジ８との間に挿入されて縦桟１，１間で挟持されると共に、太陽光発電パネルＰを上記両者間に挿入することによって、太陽光発電パネルＰは前記パネル押圧ばね９に押圧規制されて上記両者間で自動的に固定されることになり、単に太陽光発電パネルＰを上記ばね係合保持台７とパネル上面規制フランジ８との間に挿入するだけの操作によって太陽光発電パネルＰを上記両者間に挟持固定することになるから、太陽光発電パネルＰを上記縦桟１，１間に極めて簡単容易に且つ迅速に装着することができる。
【００１８】
請求項２に係る太陽光発電パネル架台によれば、縦桟１は、中空状縦桟本体４上下幅の大きい補強中空部４ａを有するよう形成してなるため、縦桟１の太陽光発電パネルＰに対する耐荷重力が大きく、外部からの太陽光発電パネルＰに対する振動等の外力に対して強力に対向することができる。
【００１９】
請求項３の発明に係る太陽光発電パネル架台によれば、パネル取付金具６のばね係合保持台７に、前記中空状のスペーサー支柱８を挟んでその両側にパネル押圧ばね１０が係合保持されてなるため、パネル取付金具６を挟んで、その前後両側で、パネル押圧ばね１０に押圧されて太陽光発電パネルＰを取り付けることができ、太陽光発電パネルＰは、その前後端部でパネル取付金具６に固定されるから安定して太陽光発電パネルＰをパネル取付金具６を介して縦桟１に取り付けることができる。
【００２０】
請求項４の発明に係る太陽光発電パネル架台によれば、前記ばね係合保持台７に係合保持されるパネル押圧ばね１０は、パネル取付金具６の摺動方向に偏平下向きＵ字状に湾曲してなるため、太陽光発電パネルＰをパネル取付金具６の太陽光発電パネルＰのばね係合保持台７への挿入方向からばね係合保持台７に係合保持させる際に太陽光発電パネルＰはパネル押圧ばね１０の湾曲面に沿って円滑にパネル押圧ばね１０の押圧力に抗してばね係合保持台７上に挿入保持させることができ、その取付作業を容易に行うことができる。
【００２１】
しかも、パネル押圧ばね１０は平面視において略矩形に形成されてなるため、該パネル押圧ばね１０をばね係合保持台７に安定して設置することができる。
【００２２】
請求項５の発明に係る太陽光発電パネル架台によれば、複数の太陽光発電パネルＰは前方側に向かって低く傾斜して互いに対向して配列される縦桟１，１間にあって、太陽光発電パネルＰと縦桟１の金具係合摺動台５を係合摺動するパネル取付金具６とが縦桟１の後方側から前方側に向かって交互に配置されて、太陽光発電パネルＰはパネル取付金具６の前記ばね係合保持台７とこれに対向するパネル上面規制フランジ９との間に順次挿入され、その挿入端において、各太陽光発電パネルＰは、前記パネル押圧ばね１０の押圧力に押圧規制されてパネル取付金具６に固定されてなるため、太陽光発電パネルＰを、縦桟１，１間に迅速且つ容易に取り付けることができる。
【００２３】
請求項６の発明に係る太陽光発電パネル架台によれば、複数の太陽光発電パネルＰは前方側に向かって低く傾斜して互いに対向して配列される縦桟１，１間にあって、太陽光発電パネルＰと縦桟の金具係合摺動台５を係合摺動するパネル取付金具６とが縦桟１の後方側から前方側に向かって交互に配置されて、太陽光発電パネルＰはパネル取付金具６の前記ばね係合保持台７とこれに対向するパネル上面規制フランジ９との間に順次挿入され、その挿入端において、各太陽光発電パネルＰは、前記パネル押圧ばね１０の押圧力に押圧規制されてパネル取付金具６に固定されるため、太陽光発電パネルＰを、縦桟１，１間に迅速且つ容易に取り付けることができると共に、各太陽光発電パネルＰはパネル取付金具６の中空状のスペーサー支柱８に当接して、該中空状のスペーサー支柱８によって太陽光発電パネルＰの前後方向の位置決め規制がなされるため、該スペーサー支柱８を挟んで、その両側の太陽光発電パネルＰが一定のスペースで位置決め配置されるため、縦桟１，１間の複数の太陽光発電パネルＰは、縦桟１の長手方向に一定のスペース間隔に前記中空状のスペーサー支柱８に規制されて正確に配置することができる。
【００２４】
請求項７の発明に係る太陽光発電パネル架台によれば、後方側から前方側に向かって低く傾斜して互いに対向して配列される縦桟１，１間にあって、縦桟１の最前方端に位置するパネル取付金具６は、縦桟１の金具係合摺動台５にビス１１止めされてなるため、縦桟１，１の最前方端に位置する太陽光発電パネルＰは、最前方端のパネル取付金具６を縦桟１のばね係合保持台７にビス１１止めするだけで、縦桟１，１から前方に抜け出るのを防止することができ、最前端のパネル取付金具６は太陽光発電パネルＰの固定手段と共に縦桟１から太陽光発電パネルＰが前方に抜け出るのを防止する抜け止め手段を兼ねることができる。
【００２５】
請求項８の発明に係る太陽光発電パネル架台によれば、後方側から前方側に向かって低く傾斜して互いに対向して配列される縦桟１，１間にあって、縦桟１の最後方端に位置するパネル取付金具６は、縦桟１の金具係合摺動台５にビス１２止めされてなる縦桟１，１の最後方端に位置する太陽光発電パネルＰは、最後方端のパネル取付金具６を縦桟１のばね係合保持台７にビス１２止めするだけで、縦桟１，１から後方に抜け出るのを防止することができ、最後方端のパネル取付金具６は太陽光発電パネルＰの固定手段と共に縦桟１から太陽光発電パネルＰが後方に抜け出るのを防止する抜け止め手段を兼ねることができる。
【図面の簡単な説明】
【００２６】
【図１】（ａ）は、本発明の一実施形態に係る太陽光発電パネル架台の側面図、（ｂ）は同平面図である。
【図２】同太陽光発電パネルを太陽光発電パネル架台の縦桟間にわたって縦桟の長手方向から順次パネル取付金具を介して取り付けた状態を平面視で示す斜視図である。
【図３】図２のＡーＡ線拡大断面図である。
【図４】図３のＢーＢ線要部拡大断面図である。
【図５】同要部の使用状態拡大斜視図である。
【図６】同要部の分解斜視図である。
【図７】同要部の作用状態を示す断面図である。
【図８】（ａ）従来技術を示す図１と同様な太陽光発電パネル架台の側面図、（ｂ）同従来技術を示す図２と同様な平面図である。
【発明を実施するための形態】
【００２７】
以下に、本発明に係る太陽光発電パネル架台の一実施形態について、図面を参照して具体的に説明する。
【００２８】
図１の（ａ）及び（ｂ）に示す太陽光発電パネル架台は、前後方向に沿う複数本の上位側の縦桟１と左右方向に沿う複数本の下位側の横桟２とが格子状に連結されて上位側の縦桟１が後方から前方に向かって低く傾斜して配設された架台フレーム３において、複数枚の太陽光発電パネルＰが互いに対向する架台フレーム３に平面的に配列して取り付けられる太陽光発電パネル架台であって、後方側から前方側に向かって低く傾斜して上位側の縦桟１，１が配列され、その下位側に直交して重なって左右方向に沿って平行に前方側と後方側との２箇所に下位側の横桟２，２が配列され、このうち、前方側の横桟２には短尺な支柱１５Ａを介して角柱状のコンクリート基礎１４Ａが配置され、後方側の横桟２には長尺な支柱１５Ｂを介して同じく角柱状のコンクリート基礎１４Ｂが配置されており、これによって架台フレーム３の上位側の縦桟１，１は下位側の横桟２，２の上面に支持されて後方側から前方側に向かって低く傾斜して配列されている。そして、縦桟１，１間に太陽光発電パネルＰが平面状に配列されている。（図１の（ｂ）では４本の縦桟１，１間に前後３枚の太陽光発電パネルＰが横２列に、合計６枚の太陽光発電パネルＰが配列されている。）
【００２９】
なお、各太陽光発電パネルＰはその上下及び左右端部で本発明の要部であるパネル取付金具６で固定されているが、その詳細は後述する。
【００３０】
図２に示すように、上位側の縦桟１，１は下位側の横桟２，２の上面に直交してフレーム連結金具１６によって連結され、縦桟１，１間にわたってその上方側から下方側に向かって太陽光発電パネルＰがパネル取付金具６を介して交互に係合固定されるようになっている。
【００３１】
すなわち、図２のＡーＡ線拡大断面図である図３及び図３のＢーＢ線断面図である図４に示すように、後方側から前方側に向かって低く傾斜して配列される上位側の縦桟１は、特に図３に示すように、左右側片部４ｃ、４ｃが上片部４ｂ及び底片部４ｄより縦長で横幅：縦幅が１：３〜４の縦長形状に形成され、その中空部が縦長の補強中空部４ａに形成された中空状縦桟本体４と、該縦桟本体４の上片部４ａに、該縦桟本体４より幅広に突出して該縦桟本体４の長手方向に一体形成された金具係合摺動台５とからなり、該金具係合摺動台５には、その摺動面５ａと係合溝５ｂとを係合摺動するパネル取付金具６が縦桟本体４の長手方向に摺動可能に設けられている。
【００３２】
パネル取付金具６は、図３〜図６に示すように、縦桟１の縦桟本体４の上片部４ｂに一体形成してなる金具係合摺動台５の金具摺動面５ａを摺動すると共に、パネル押圧ばね１０を係合保持させるためのばね係合保持台７を備えている。
【００３３】
ばね係合保持台７の長手方向中央部には、図３〜図６に示すように、縦長のスペーサー用中空部８ａを形成した中空状のスペーサー支柱８が突設され、該スペーサー支柱８の根元部には係合切欠部８ｂが形成され、該係合切欠部８ｂが金具係合摺動台５の金具摺動面５ａの両端部の断面略Ｃ字状の係合溝５ｂに係合するようになっている。なお、ばね係合保持台７には、図６に示すように、前記係合切欠部８ｂの近くに前記係合溝５ｂ内を摺動可能な係合突起７ａが適宜設けられている。そして、スペーサー支柱８の上端部に前記ばね係合保持台７に平行に対向してパネル上面規制フランジ９が一体形成される。このようにばね係合保持台７とパネル上面規制フランジ９とはスペーサー支柱８を挟んでその長手方向両側に形成され、その長手方向両側のばね係合保持台７には夫々偏平下向きＵ字状に湾曲したパネル押圧ばね１０が、図４〜図６に示すように、ばね係合保持台７の一端部に突設されたばね係合片１７とスペーサー支柱８の側面８ｃとに係合されてばね係合保持台７に保持される。
【００３４】
パネル押圧ばね１０は、アルミ型材によって、図４〜図７に示すように、ばね係合保持台７の長手方向に偏平下向きＵ字状に湾曲し、正確には、図７に示すように、太陽光発電パネルＰが挿入される側は緩傾斜状面１０ａと反対側は急傾斜面１０ｂに形成されており、厚みは１．２ｍｍで、平面視においてその長手方向の幅が２２．５ｍｍで、これに対応する幅が３２ｍｍに形成されている。そして、パネル押圧ばね１０はそのアルミ型材の弾性変形を利用して、太陽光発電パネルＰをその弾性力によって固定するようになっている。パネル押圧ばね１０を製造するには、押出成形によって形成された長尺なアルミ型材を、例えば上記の例で言えば長辺の３２ｍｍの切断片に多数形成することによって量産に適すると共に、これら切断片は正確な同一断面形状となっているため、パネル押圧ばね１０をこのようなアルミ型材で製造することによって、ばらつきのない均一な押圧力で複数の太陽光発電パネルＰを固定することができ、太陽光発電パネルＰを縦桟１に長期にわたって安定して支持することができる。
【００３５】
そして、ばね係合保持台７にパネル押圧ばね１０が係合保持されることによって、前記パネル上面規制フランジ８と前記パネル押圧ばね１０との対向間隔は太陽光発電パネルＰの上下面間の厚みより狭くなっている。
【００３６】
複数の太陽光発電パネルＰは、前方側に向かって低く傾斜して互いに対向して配列される縦桟１，１間にわたって、図２〜図４に示すように、太陽光発電パネルＰと縦桟１の金具係合摺動台５を係合摺動するパネル取付金具６とが縦桟１の後方側から前方側に向かって交互に配置されて、太陽光発電パネルＰはパネル取付金具６の前記ばね係合保持台７とこれに対向するパネル上面規制フランジ９との間に順次挿入され、その挿入端において、各太陽光発電パネルＰは、前記パネル押圧ばね１０の押圧力に押圧規制されてパネル取付金具６に固定される。
【００３７】
そして、太陽光発電パネルＰがばね係合保持台７とパネル上面規制フランジ８との間に挿入されると、前記パネル上面規制フランジ８と前記パネル押圧ばね９との対向間隔は太陽光発電パネルＰの上下面間の厚みより狭くなっているため、太陽光発電パネルＰの挿入端において、図４、特に図７に示すように、ばね係合保持台７の長手方向に偏平下向きＵ字状に湾曲してなるパネル押圧ばね１０は太陽光発電パネルＰの挿入端部に押圧されて、鎖線で示すように若干偏平状に弾性変形し、その復元しようとする反力は、太陽光発電パネルＰの上面が当接するパネル上面規制フランジ９に負荷し、これらの作用によって、太陽光発電パネルＰは前記パネル押圧ばね１０に押圧規制されて上記両者間で自動的に固定されることになる。したがって、単に太陽光発電パネルＰを上記両者間に挿入するだけの操作によって太陽光発電パネルＰを上記両者間に挟持固定することになるから、太陽光発電パネルＰを上記縦桟１，１間に極めて簡単容易に且つ迅速に装着することができるというメリットがある。
【００３８】
しかも、縦桟１は、中空状縦桟本体４は上下幅の大きい補強中空部４ａを有するよう形成してなるため、縦桟１の太陽光発電パネルＰに対する耐荷重力が大きく、外部からの太陽光発電パネルＰに対する振動等の外力に対して強力に対向することができる。
【００３９】
又、各太陽光発電パネルＰはパネル取付金具６の中空状のスペーサー支柱８に当接して、該中空状のスペーサー支柱８によって太陽光発電パネルＰの前後方向の位置決め規制がなされるため、該スペーサー支柱８を挟んで、その両側の太陽光発電パネルＰが一定のスペースで位置決め配置されるため、縦桟１，１間の複数の太陽光発電パネルＰは、縦桟１の長手方向のスペース間隔が前記中空状のスペーサー支柱８に規制されて正確に配置することができる。
【００４０】
又、ばね係合保持台７に係合保持されるパネル押圧ばね１０は、パネル取付金具６の摺動方向に偏平下向きＵ字状に湾曲してなるため、太陽光発電パネルＰをパネル取付金具６上に挿入してばね係合保持台７に係合保持させる際に、太陽光発電パネルＰはパネル押圧ばね１０の湾曲面に沿って円滑にパネル押圧ばね１０の押圧力に抗してばね係合保持台７に係合保持させることができ、その取付作業を容易に行うことができる。しかも、パネル押圧ばね１０は平面視において略矩形に形成されてなるため、該パネル押圧ばね１０をばね係合保持台７に安定して設置することができる。
【００４１】
更に、図４に示すように、後方側から前方側に向かって低く傾斜して互いに対向して配列される縦桟１，１間にあって、縦桟１の最前方端に位置するパネル取付金具６は、縦桟１のばね係合保持台７にビス１１止めされてなるため、縦桟１，１の最前端に位置する太陽光発電パネルＰは、最前方端のパネル取付金具６をばね係合保持台７にビス１１止めするだけで、縦桟１，１から前方に抜け出るのを防止することができ、最前方端のパネル取付金具６は太陽光発電パネルＰの固定手段と共に抜け止め手段を兼ねることができ、簡単な構成からなるため、安価に製作することができる。
【００４２】
更に又、図４に示すように、後方側から前方側に向かって低く傾斜して互いに対向して配列される縦桟１，１間にあって、縦桟１の最後方端に位置するパネル取付金具６は、縦桟１のばね係合保持台７にビス１２止めされてなるため、縦桟１，１の最後方端に位置する太陽光発電パネルＰは、最後方端のパネル取付金具６をばね係合保持台７にビス１２止めするだけで、縦桟１，１から後方に抜け出るのを防止することができ、最後方端のパネル押圧ばね１０は太陽光発電パネルＰの固定手段と共に抜け止め手段を兼ねることができ、簡単な構成からなるため、安価に製作することができる。
【００４３】
なお、横桟２に交叉して縦桟１を連結する構造は、図３に示すように、特許文献１に示す連結構造と同じであり、図２に示すように、横桟２は、縦桟１と同じように中空アルミ押出型材からなり、縦桟１の傾斜に対応して傾斜した横桟上面２ａに長手方向に連続する摺動ガイド溝１８を有し、これにフレーム連結金具１６が取り付けられている。
【００４４】
この従来技術であるフレーム連結金具１６の構造を念のため説明すると、該フレーム連結金具１６は、図３に示すように、横桟２の摺動ガイド溝１８に嵌入させるスライド部材１９と、その上に配置させる受け部材２０とで構成されている。そして、スライド部材１９は、帯板状の基板部１９ａの下面側に一対の平行な脚片部１９ｂ，１９ｂが突設されると共に、基板部１９ａの長手方向両側部にはボルト挿通孔１９ｃ，１９ｃが穿設されている。一方、受け部材２０は、横桟２の上面幅に略等しい前後幅で且つスライド部材１９に対応する長さの基板部２０ａと、該基板部２０ａの中央側から前後方向に沿って上方へ突出する平行２条の挟持壁部２０ｂとを有し、両挟持壁部２０ｂ，２０ｂの上端に内向きに突出する縦断面Ｌ字形の係止片２０ｃが形成されており、基板部２０ａの左右両側部にボルト挿通孔２０ｄを備えている。
【００４５】
縦桟１と横桟２とを連結するには、コンクリート基礎１４Ａ，１４Ｂ上に支持固定させた前方部と後方部の各横桟２に対し、その摺動ガイド溝１８に一端側から、縦桟１との交叉部に対応する数のスライド部材１９を、各ボルト挿通孔１９ｃに下方から固定ボルトＢを挿通した状態でスライド嵌合させる。これにより、各スライド部材１９は該摺動ガイド溝１８に摺動自在で且つ上方離脱不能に保持されると共に、該スライド部材１９から直立した２本の固定ボルトＢが摺動ガイド溝１８から上方へ突出した状態となるから、次に各スライド部材１９の上に受け部材２０を載置し、その基板部２０ａの各ボルト挿通孔２０ｄに挿通した固定ボルトＢに座金Ｗを介してナットＮを螺着する。かくして、スライド部材１９上に受け部材２０を装着した各フレーム連結金具１６は、ナットＮの締め付けが緩んだ状態で設定した縦桟１との各交叉部へ順次に移動させ、各交叉部において受け部材２０の両挟持壁部２０ｂ，２０ｂ間に後方から縦桟１をスライド嵌合させて、該縦桟１の両側の係止溝２１ａ，２１ａに係止片２０ｃ，２０ｃを係入させ、受け部材２０の両挟持壁部２０ｂ，２０ｂに外側からドリリングタッピングねじＳを通して縦桟１に螺刻貫通させることにより、該縦桟１と横桟２とが交叉部で剛体的に強固に連結した状態となる。
【符号の説明】
【００４６】
Ｐ      太陽光発電パネル
Ｐ１    太陽光発電パネルＰの前端面
Ｐ２    太陽光発電パネルＰの後端面
１      縦桟
２      横桟
４      中空状縦桟本体
４ａ    中空状縦桟本体４の補強中空部
５      金具係合摺動台
５ａ    係合摺動面
５ｂ    係合溝
６      パネル取付金具
７      ばね係合保持台
８      中空状のスペーサー支柱
９      パネル上面規制フランジ
１０    パネル押圧ばね
１１    ビス
１２    ビス１２
【図１】
2018007342.tif 000003
【図２】
2018007342.tif 000004
【図３】
2018007342.tif 000005
【図４】
2018007342.tif 000006
【図５】
2018007342.tif 000007
【図６】
2018007342.tif 000008
【図７】
2018007342.tif 000009
【図８】
2018007342.tif 000010